(57)【要約】【課題】冷却ファンを２つ以上用いて冷却を行う構成において、冷却ファン同士の回転数差による生じる意図していないうなり音を発生させないこと。【解決手段】第１及び第２冷却ファン７ａ、７ｂの回転数を検知する回転数検知部８と、回転数検知部８の検知結果を入力し第１及び第２冷却ファン７ａ、７ｂの回転数を制御する回転数制御部９とを備え、回転数制御部９は回転数検知部８の検知結果に基づき、第１及び第２の冷却ファン７ａ、７ｂの回転数をうなり音が発生しない範囲内に制御すること。【選択図】図１
2013114898.tif 000002
【特許請求の範囲】
【請求項１】
加熱コイルと、スイッチング手段を有し、直流を高周波交流に変換し、前記加熱コイルに高周波電流を供給するインバータ回路と、前記インバータ回路の動作を制御する制御部と、前記加熱コイル及び前記インバータ回路を構成するインバータ部品とを強制的に冷却する２個の第１冷却ファン及び第２冷却ファンと、前記第１及び第２冷却ファンの回転数を検知する回転数検知部と、前記回転数検知部の検知結果を入力し前記第１及び第２冷却ファンの回転数を制御する回転数制御部とを備え、前記回転数制御部は前記回転数検知部の検知結果に基づき、前記第１及び第２冷却ファンの回転数をうなり音が発生しない範囲内に制御する誘導加熱調理器。
【請求項２】
前記回転数制御部は、前記第１及び第２冷却ファンの回転数を目標回転数Ｎとなるように制御を行うことで、前記第１及び第２冷却ファンの回転数をうなり音が発生しない範囲内に制御する請求項１に記載の誘導加熱調理器。
【請求項３】
前記回転数制御部は、前記第１及び前記第２冷却ファンの回転数制御を、印加するＰＷＭ信号のオン時間の増減により行う請求項２に記載の誘導加熱調理器。
【請求項４】
前記回転数検知部は、パルス信号のエッジを検出する割り込み制御回路と、前記割り込み制御回路に複数のパルス信号を切り替えて入力する切り替え回路とを有し、前記第１及び第２冷却ファンから出力されるパルス信号を、前記切り替え回路が一定間隔で切り替えながら前記割り込み検知回路に入力し、前記割り込み検知回路が一定区間のパルス信号のエッジ数をカウントすることにより、前記第１及び第２冷却ファン各々の回転数を独立して検知する請求項３に記載の誘導加熱調理器。
【請求項５】
前記回転数検知部は、検知した前記第１及び第２の冷却ファンの回転数が目標回転数と大きくずれている場合に、前記割り込み検知回路にてパルス信号を検知する検知時間を短く設定し、検知した前記第１及び第２冷却ファンの回転数が目標回転数と大きくはずれていない場合に、前記割り込み検知回路にてパルス信号を検知する検知時間を長く設定する請求項４に記載の誘導加熱調理器。
【発明の詳細な説明】
【技術分野】
【０００１】
本発明は、発熱部品を強制的に冷却する冷却ファンのうなり音を抑え、静音化を図る誘導加熱調理器に関するものである。
【背景技術】
【０００２】
従来、この種の誘導加熱調理器は、加熱部と冷却ファンのファン速度を一義的に定め、冷却ファンは、入力部にて選択された加熱部に対応したファン速度にて駆動させる構成としたものである（例えば特許文献１参照）。
【０００３】
以下、その従来例について図２を用いて説明する。
【０００４】
図３は、特許文献１に記載された従来の加熱調理器の動作特性図である。誘導加熱調理器の外郭を構成する本体の上部には、トッププレートと吸気部を備えている。また、トッププレートの上面には鍋を誘導加熱する加熱コイル、インバータからなる誘導加熱部と、ラジェントヒータを加熱する加熱部とが設けられている。また、吸気部の下方には冷却ファンを備え、冷却ファンの送風方向にはインバータが配されている。さらに、インバータなどの回路ユニットの左側で、加熱コイルの下には加熱庫内にあるロースタヒータを加熱する手段が設けられている。
【０００５】
上記構成において、加熱部と冷却ファンのファン速度は一義的に定められており、第１の加熱手段１０６が動作する際には、冷却ファン１０８は高速で駆動され、第２の加熱手段１０７が動作する際には、冷却ファン１０８は中速で駆動される。すなわち、入力手段１１０により第１の加熱手段１０６が選択されると、制御手段１１１は入力手段１１０からの信号に基づいて第１の加熱手段１０６による加熱を開始すると共に、ファン回転数制御手段１１２に冷却ファン１０８を高速で駆動させる信号を送付することにより、ファン回転数制御手段１１２は冷却ファン１０８を高速で駆動させる。また、入力手段１１０により第２の加熱手段１０７が選択されると、制御手段１１１は入力手段１１０からの信号に基づいて第２の加熱手段１０７による加熱を開始すると共に、ファン回転数制御手段１１２に冷却ファン１０８を中速で駆動させる信号を送付することにより、ファン回転数制御手段１１２は冷却ファン１０８を中速で駆動させる。このように、加熱出力に応じて冷却ファン１０８の回転数を変更する構成とすることにより、機器の冷却を十分維持しながら、冷却ファン１０８の回転数を必要最小限に抑えることができ、騒音を低減することが可能となる。
【先行技術文献】
【特許文献】
【０００６】
【特許文献１】特開２００４−０４７３０５号公報
【発明の概要】
【発明が解決しようとする課題】
【０００７】
しかしながら、前記従来の構成では、複数の冷却ファンを使用してインバータ部品等の発熱部品の冷却を行う場合、冷却ファン各々、一様に駆動させたとしても、冷却ファン自身のバラツキや、冷却ファンを駆動させる電圧のバラツキ等により、冷却ファン同士に回転数差が生じてしまい、その回転数差がうなり音となるため、意図していないうなり音が発生してしまうという課題を有していた。
【課題を解決するための手段】
【０００８】
前記従来の課題を解決するために、本発明の誘導加熱調理器は、加熱コイルと、スイッチング手段を有し、直流を高周波交流に変換し、加熱コイルに高周波電流を供給するインバータ回路と、インバータ回路の動作を制御する制御部と、加熱コイル及びインバータ回路を構成するインバータ部品とを強制的に冷却する２個の第１冷却ファン及び第２冷却ファンと、第１及び第２冷却ファンの回転数を検知する回転数検知部と、回転数検知部の検知結果を入力し第１及び第２冷却ファンの回転数を制御する回転数制御部とを備え、回転数制御部は回転数検知部の検知結果に基づき、第１及び第２の冷却ファンの回転数をうなり音が発生しない範囲内に制御するようにしたものである。
【０００９】
加熱コイル及びインバータ回路を構成するインバータ部品等の発熱部品を２個の冷却ファンを用いて強制的に冷却する場合において、２個の冷却ファンそれぞれの回転数を独立して検知すると共に、その検知した回転数が２個の冷却ファンの回転数差から生じるうなり音が発生しない範囲に制御することができ、意図していないうなり音の発生を抑制し、騒音を低減することができる。
【発明の効果】
【００１０】
加熱コイル及びインバータ回路を構成するインバータ部品等の発熱部品を２個の冷却ファンを用いて強制的に冷却する場合において、２個の冷却ファンそれぞれの回転数を独立して検知し、その検知した回転数が２個の冷却ファンの回転数差から生じるうなり音が発生しない範囲に制御することにより、意図していないうなり音の発生を抑制し、騒音を低減することができる。
【図面の簡単な説明】
【００１１】
【図１】本発明の実施の形態１における誘導加熱調理器のブロック図
【図２】本発明の実施の形態１における誘導加熱調理器の他の例のブロック図
【図３】特許文献１における従来の加熱調理器の動作特性図
【発明を実施するための形態】
【００１２】
第１の発明は、加熱コイルと、スイッチング手段を有し、直流を高周波交流に変換し、前記加熱コイルに高周波電流を供給するインバータ回路と、前記インバータ回路の動作を制御する制御部と、前記加熱コイル及び前記インバータ回路を構成するインバータ部品とを強制的に冷却する２個の第１冷却ファン及び第２冷却ファンと、前記第１及び第２冷却ファンの回転数を検知する回転数検知部と、前記回転数検知部の検知結果を入力し前記第１及び第２冷却ファンの回転数を制御する回転数制御部とを備え、前記回転数制御部は前記回転数検知部の検知結果に基づき、前記第１及び第２の冷却ファンの回転数をうなり音が発生しない範囲内に制御することを特徴としたものである。これにより、加熱コイル及びインバータ回路を構成するインバータ部品等の発熱部品を２個の冷却ファンを用いて強制的に冷却する場合においても、２個の冷却ファンそれぞれの回転数を独立して検知すると共に、検知した冷却ファンそれぞれの回転数を、冷却ファンの回転数差から生じるうなり音が発生しない範囲に制御することができ、意図していないうなり音の発生を抑制し、騒音を低減することができる。
【００１３】
第２の発明は、特に第１の発明において、回転数制御部は、第１及び第２の冷却ファンの回転数を目標回転数Ｎとなるように制御を行うことで、第１及び第２の冷却ファンの回転数をうなり音が発生しない範囲内に制御することを特徴したものである。これにより、検知した２個の冷却ファンそれぞれの回転数を、あらかじめ設定しておいた目標回転数に合わせることができ、冷却性能を維持しつつ、冷却ファンの回転数差から生じるうなり音が発生しない範囲に制御することができ、意図していないうなり音の発生を抑制し、騒音を低減することができる。
【００１４】
第３の発明は、特に第２の発明において、回転数制御部は、第１及び前記第２冷却ファンの回転数制御を、印加するＰＷＭ信号のオン時間の増減により行うことを特徴としたものである。これにより、回転数制御部が印加するＰＷＭ信号をアナログ信号に変換しその電圧値に応じて、第１及び第２冷却ファンの駆動状態を制御可能であるため、回転数の微調整が可能となり、第１及び第２冷却ファンの回転数をあらかじめ設定しておいた目標回転数と一致させることが容易に行える。
【００１５】
第４の発明は、特に第３の発明において、回転数検知部は、パルス信号のエッジを検出する割り込み制御回路と、割り込み制御回路に複数のパルス信号を切り替えて入力する切り替え回路とを有し、第１及び第２冷却ファンから出力されるパルス信号を、切り替え回路が一定間隔で切り替えながら割り込み検知回路に入力し、割り込み検知回路が一定区間のパルス信号のエッジ数をカウントすることにより、第１及び第２冷却ファン各々の回転数を独立して検知することを特徴とするものである。これにより、第１及び第２冷却ファンの回転数検知を専用ＩＣを用いることなく、汎用のマイクロコンピュータにて実現可能であり、システムを安価に構築することができる。
【００１６】
第５の発明は、特に第４の発明において、回転数検知部は、検知した前記第１及び第２冷却ファンの回転数が目標回転数と大きくずれている場合に、割り込み検知回路にてパルス信号を検知する検知時間を短く設定し、検知した前記第１及び第２の冷却ファンの回転数が目標回転数と大きくはずれていない場合に、割り込み検知回路にてパルス信号を検知する検知時間を長く設定することを特徴とするものである。これにより、第１及び第２冷却ファンの回転数が目標回転数と大きくずれている場合は、第１及び第２冷却ファンの回転数の増減を短時間で行うことができ、第１及び第２冷却ファンの回転数が目標回転数と大きくはずれていない場合には、第１及び第２冷却ファンの回転数の増減を安定して行うことができるため、冷却性能を維持しつつ、冷却ファンの回転数差から生じるうなり音が発生しない範囲に制御することができ、意図していないうなり音の発生を抑制し、騒音を低減することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理器の構成を示すブロック図である。
【００１９】
図１において、本発明の第１の実施の形態における誘導加熱調理器は、加熱コイル３ｂ、スイッチング手段３ａを含み商用電源１を整流回路２整流した直流を高周波交流に変換し、加熱コイル３ｂに高周波電流を供給して天板に載置された鍋３ｃを誘導加熱するインバータ回路３のスイッチング手段３ａを駆動して加熱出力を制御するインバータ制御部４、インバータ制御部４の動作を制御する制御部５、インバータ制御部４の動作を設定すると共に、その設定内容を表示する操作表示部６と、加熱コイル３ｂ及びインバータ制御部４を構成するインバータ回路３の部品を強制的に冷却する第１冷却ファン７ａ、第２冷却ファン７ｂと、第１冷却ファン７ａ及び第２冷却ファン７ｂの回転数を独立して検知する回転数検知部８と、回転数検知部８の検知結果を入力し第１冷却ファン７ａ、第２冷却ファン７ｂそれぞれの回転数を制御する回転数制御部９とで構成されている。
【００２０】
操作表示部６に設けられたスイッチ等を操作することにより操作表示部６は、制御部５に動作開始信号を出力し、それを受けた制御部５はインバータ制御部４に搭載されたＩＧＢＴ等で構成されるスイッチング手段３ａの駆動信号を出力すると共に、回転数制御部９に第１冷却ファン７ａ、第２冷却ファン７ｂの駆動信号を出力する。これを受けたインバ
ータ制御部４は搭載されたスイッチング手段３ａを駆動することにより、高周波電流を加熱コイル３ｂに供給し、回転数制御部９は第１冷却ファン７ａ、第２冷却ファン７ｂにＰＷＭの駆動信号を印加し、第１冷却ファン７ａ、第２冷却ファン７ｂを駆動させる。このとき回転数検知部８は、第１冷却ファン７ａの回転数に同期したパルスを発生する第１回転センサ９ａからのパルス信号及び、第２冷却ファン７ｂの回転数に同期したパルスを発生する第２回転センサ９ｂからのパルス信号を検知することにより、第１冷却ファン７ａ及び第２冷却ファン７ｂの回転数を独立して検知する。
【００２１】
以上のように構成された誘導加熱装置において、以下、図１を用いて、その動作、作用を説明する。
【００２２】
制御部５からファン駆動信号を受けた回転数制御部９は、第１冷却ファン７ａ、第２冷却ファン７ｂそれぞれの回転数が、あらかじめ設定しておいた冷却ファンの目標回転数Ｎ（例えば５０００ｒｐｍ）となるように、第１冷却ファン７ａ、第２冷却ファン７ｂに印加するＰＷＭ駆動信号のデューティ時間を変更する。すなわち、第１冷却ファン７ａ及び第２冷却ファン７ｂは、回転数制御部９から印加されたＰＷＭ駆動信号をアナログ電圧に変換し、そのアナログ電圧の電圧値に応じて、回転する速度を変更する。ここでは、ＰＷＭ駆動信号のオン時間が長い場合に、アナログ電圧に変換した電圧値が高くなり、第１冷却ファン７ａ及び第２冷却ファン７ｂは高速回転し、逆にＰＷＭ駆動信号のオン時間が短い場合に、アナログ電圧に変換した電圧値が低くなるため、第１冷却ファン７ａ及び第２冷却ファン７ｂは低速回転することとする。
【００２３】
また、回転数検知部８は、第１冷却ファン７ａ及び第２冷却ファン７ｂの第１回転センサ９ａ及び第２回転センサ９ｂから出力される回転パルス信号を検知することにより、第１冷却ファン７ａ及び第２冷却ファン７ｂの回転数を検出する。ここでは、第１冷却ファン７ａ及び第２冷却ファン７ｂが１回転すると、対応する第１回転センサ９ａ及び第２回転センサ９ｂから２パルスのパルス信号が発生することとする。すなわち、第１冷却ファン７ａ及び第２冷却ファン７ｂが回転数＝３０００ｒｐｍにて回転しているとき、第１回転センサ９ａ及び第２回転センサ９ｂは、１分間あたり６０００パルス（３０００×２）のパルス信号を出力する。逆に、回転数検知部８が、第１冷却ファン７ａ及び第２冷却ファン７ｂから、１分間あたり８０００パルスのパルス信号を検知した場合、第１冷却ファン７ａ及び第２冷却ファン７ｂは４０００ｒｐｍ（８０００／２）の回転数にて回転していることとなる。
【００２４】
このとき、回転数検知部８が検知した第１冷却ファン７ａ及び、第２冷却ファン７ｂの回転数が、目標回転数Ｎ（例えば５０００ｒｐｍ）となるように、回転数制御部９は第１冷却ファン７ａ及び第２冷却ファン７ｂに印加するＰＷＭ駆動信号のオン時間を調整する。すなわち、第１冷却ファン７ａが４０００ｒｐｍにて回転している場合、回転数検知部８が、第１冷却ファン７ａから１分間あたり８０００パルスのパルス信号を検知するため、第１冷却ファン７ａが４０００ｒｐｍにて回転していることを検知する。これを受けた回転数制御部９は、目標回転数Ｎ（ここでは５０００ｒｐｍ）と比較し、回転数が目標回転数Ｎに到達していないことから、第１冷却ファン７ａに印加するＰＷＭ駆動信号のオン時間を増加させる。ＰＷＭ駆動信号のオン時間を増加させることにより、その信号をアナログ電圧に変換した電圧値が増加前よりも高くなることから、第１冷却ファン７ａは４０００ｒｐｍより高速（例えば４１００ｒｐｍ）にて回転することとなる。逆に、第１冷却ファン７ａが５５００ｒｐｍと目標回転数Ｎ（ここでは５０００ｒｐｍ）より高速で回転している場合は、ＰＷＭ駆動信号のオン時間を減少させることにより、その信号をアナログ電圧に変換した電圧値が減少前よりも低くなることから、第１冷却ファン７ａは５５００ｒｐｍより低速（例えば５４００ｒｐｍ）にて回転することとなる。さらに、第１冷却ファン７ａが目標回転数Ｎと比較して、あらかじめ設定したしきい値Ｍ回転（例えば±１
０ｒｐｍ、冷却ファンの回転数差の要因から発生するうなりがない程度に設定）以下の差であれば、回転数制御部９は第１冷却ファン７ａのＰＷＭ駆動信号のオン時間を現状のまま保持する。以上のように、回転数制御部９は第１冷却ファン７ａが目標回転数Ｎ±Ｍ（しきい値）が保持できるように同様の処理（ＰＭＷ駆動信号のオン時間の調整）を駆動信号を受信している間繰り返す。また、回転数制御部９は、第２冷却ファン７ｂについても第１冷却ファン７ａと同様に、目標回転数ＮとなるようにＰＷＭ駆動信号のオン時間の調整を行う。
【００２５】
これによって、第１冷却ファン７ａ及び第２冷却ファン７ｂ共に、目標回転数Ｎにて回転するようにＰＷＭ駆動信号のオン時間を独立して調整できるため、第１冷却ファン７ａ及び第２冷却ファン７ｂの回転数差により発生するうなり音を抑制し、騒音を低減することができる。
【００２６】
また、図２に示すように回転数検知部８は、第１冷却ファン７ａ及び第２冷却ファン７ｂから、回転に同期した回転パルス信号を検知するために、パルス信号のエッジを検出する割り込み検知回路１０と、割り込み検知回路１０に複数のパルス信号を切り換えて入力する切り替え回路１１とを有し、第１冷却ファン７ａ及び第２冷却ファン７ｂから出力される回転パルス信号を、切り替え回路１１が一定間隔Ｔ（例えば１分）で切り替えながら割り込み検知回路１０に入力し、割り込み検知回路１０が一定区間Ｔのパルス信号のエッジ数をカウントすることにより、第１冷却ファン７ａ及び第２冷却ファン７ｂの回転数を独立して検知する。すなわち、回転数検知部８は、まず切り替え回路１１を第１冷却ファン７ａからのパルス信号を選択し、一定時間Ｔの間、割り込み検知回路１０にてパルス信号のエッジ数をカウントすることにより、第１冷却ファン７ａの回転数を検知する。一定時間Ｔ経過後、回転数検知部８は、切り替え回路１１を第２冷却ファン７ｂからのパルス信号を選択するように切り替え、一定区間Ｔの間、割り込み検知回路１０にてパルス信号のエッジ数をカウントすることにより、第２冷却ファン７ｂの回転数を検知する。以上のように、第１冷却ファン７ａ及び第２冷却ファン７ｂの回転数の検知を、一定時間Ｔにて切り替えながら検知する処理を繰り返し行い、第１冷却ファン７ａ及び第２冷却ファン７ｂの回転数を随時検知する。
【００２７】
これによって、パルス信号のエッジ数をカウントする割り込み検知回路１０を複数有する必要が無く、冷却ファンの回転数を検知するために専用のＩＣではなく、汎用的なマイクロコンピュータにて実現可能であるため、安価にシステム構築ができる。
【００２８】
さらに、回転数検知部８は、検知した第１冷却ファン７ａ及び第２冷却ファン７ｂの回転数が目標回転数Ｎに対して、大きくズレている場合（例えば１０００ｒｐｍ以上）は、第１冷却ファン７ａ或いは第２冷却ファン７ｂの回転パルスをカウントする時間Ｔを短く（例えば１秒）設定すると共に、回転数制御部９は第１冷却ファン７ａ或いは第２冷却ファン７ｂに印加するＰＷＭのオン時間の増減も大きくする（例えば±５％増減させる）。また、目標回転数Ｎに対して、大きくはズレていない場合（例えば１０００ｒｐｍ未満）は、第１冷却ファン７ａ或いは第２冷却ファン７ｂの回転パルスをカウントする時間Ｔを長く（例えば１分）設定すると共に、回転数制御部９は第１冷却ファン７ａ或いは第２冷却ファン７ｂに印加するＰＷＭのオン時間の増減を小さくする（例えば１％増減させる）。すなわち、第１冷却ファン７ａが回転数３０００ｒｐｍにて駆動しているとした場合、回転数検知部８は、回転パルスをカウントする時間Ｔを短く（例えば１秒）設定し、回転パルスをカウントする。このとき、１分間回転パルスをカウントした場合は、６０００（＝３０００×２）パルスとなるが、時間が短く１秒であるため、１００（＝６０００／６０）パルスとなる。回転数検知部８は、カウントしたパルス数を元に回転数を検知し、その情報を受けた回転数制御部９は第１冷却ファン７ａに印加しているＰＷＭのオン時間を＋５％増加させる。また、第１冷却ファン７ａが回転数５５００ｒｐｍにて駆動している
とした場合、回転数検知部８は、回転パルスをカウントする時間Ｔを長く（例えば１分）設定し、回転パルスをカウントする。このときの回転パルス数は１１０００（＝５５００×２）パルスとなる。回転数検知部８は、カウントしたパルス数を元に回転数を検知し、その情報を受けた回転数制御部９は第１冷却ファン７ａに印加しているＰＷＭのオン時間を−１％減少させる。また、第２冷却ファン７ｂに対しても第１冷却ファン７ａと同様の処理を独立して行う。
【００２９】
これによって、回転数検知部８にて検知した第１冷却ファン７ａ及び第２冷却ファン７ｂの回転数が、目標回転数Ｎに対して大きくずれている場合は、回転数検知部８にて検知に要する時間を短く設定すると共に、回転数制御部９で制御しているＰＭＷのオン時間の増減を大きくすることにより、より短時間で、目標回転数Ｎに到達させることができる。さらに、回転数検知部８にて検知した第１冷却ファン７ａ及び第２冷却ファン７ｂの回転数が、目標回転数Ｎに対して大きくはずれていない場合は、回転数検知部８にて検知に要する時間を短く設定すると共に、回転数制御部９で制御しているＰＷＭのオン時間の増減を小さくすることにより、第１冷却ファン７ａ及び第２冷却ファン７ｂ共に、より安定した状態で目標回転数Ｎでの回転を維持することができる。
【００３０】
なお、回転数検知部８及び回転数制御部９にて回転数の制御を行う第１及び第２の冷却ファン７ａ、７ｂは、２つ以上あればよく、２つに限定するものではない。
【００３１】
なお、本発明における誘導加熱調理器は、負荷を過熱する装置（調理器）であればよく、特に限定するものではない。
【００３２】
以上のように、冷却ファンを２つ以上用いて冷却を行う構成において、それぞれの冷却ファンは回転数に応じたパルス信号を発生し、回転数検知部がそのパルス信号を独立してカウントすることにより、それぞれの冷却ファンの回転数を検知し、その情報を元に回転数制御部が目標回転数Ｎとなるように、それぞれの冷却ファンを動作させることにより、複数個ある冷却ファンの回転数差から発生するうなり音を抑制し、騒音を低減することができる。
【産業上の利用可能性】
【００３３】
以上のように、本発明にかかる誘導加熱調理器は、複数個ある冷却ファンの回転数差により発生するうなり音を抑制し、騒音が低減され、使用者の快適性を向上させることができるため、冷却ファンを複数個有する誘導加熱器に適用できる。
【符号の説明】
【００３４】
１  商用電源
２  整流回路
３  インバータ回路
３ａ  スイッチング手段
３ｂ  加熱コイル
３ｃ  鍋
４  インバータ制御部
５  制御部
６  操作表示部
７ａ  第１冷却ファン
７ｂ  第２冷却ファン
８  回転数検知部
９  回転数制御部
１０  割り込み検知回路
１１  切り替え回路
【図１】
2013114898.tif 000003
【図２】
2013114898.tif 000004
【図３】
2013114898.tif 000005